(57)【特許請求の範囲】
【請求項１】
ベルト状のカフと、
前記カフの長手方向の一端を含む部分に取り付けられた本体部と、
前記カフの前記本体部よりも長手方向の他端側に設けられた第１の面ファスナーと、
前記本体部に設けられ、前記第１の面ファスナーに着脱自在の第２の面ファスナーと、
を有し、
前記本体部の、前記カフが取り付けられる取付け面とは反対側を向き且つ前記取付け面と平行な受け面に、前記第２の面ファスナーが設けられている、ことを特徴とする血圧計。
【請求項２】
前記本体部が、
測定した血圧の値を表示する表示部を備えたメインケースと、前記メインケースの背面から突出する突出ケースとを備え、
前記取付け面が前記突出ケースに設けられている、請求項１に記載の血圧計。
【請求項３】
前記カフは、長手方向の一端側に、前記メインケースとは反対側に向けて開口する断面Ｃ字状のコアを備えている、請求項２に記載の血圧計。
【請求項４】
前記第２の面ファスナーが、前記本体部に着脱可能に取り付けられている、請求項１〜３の何れか１項に記載の血圧計。
【発明の詳細な説明】
【技術分野】
【０００１】
本発明は、生体の血圧を測定する血圧計に関する。
【背景技術】
【０００２】
生体の血圧を測定する血圧計として、ベルト状のカフと、カフの長手方向の中間部分に取り付けられた本体部とを有し、カフを被測定者の腕や手首に巻き付けて固定し、本体部に設けられた測定スイッチを押すだけの簡単な操作で、自動的に血圧の測定を行うことができる電子式の血圧計が知られている（例えば、特許文献１参照）。
【０００３】
このような血圧計では、カフは、本体部を挟んだ長手方向の一端側と他端側とに面ファスナーを備え、被測定者の腕や手首に巻き付けられた後、これらの面ファスナーを互いに接着させることで巻付け状態に保持される構成とされている。
【先行技術文献】
【特許文献】
【０００４】
【特許文献１】特開平３−２２１０３０号公報
【発明の概要】
【発明が解決しようとする課題】
【０００５】
上記従来の血圧計のように、ベルト状のカフに本体部を取り付けた構成の血圧計においては、腕や手首へカフを装着し易くし、あるいは本体部に設けられた表示部を視認し易い角度で本体部を装着することができるようにするために、カフに対する本体部の取り付け位置を種々変更することが検討されている。
【０００６】
しかし、特許文献１に記載される従来の血圧計のように、カフの本体部を挟んだ長手方向の一端側と他端側とに面ファスナーを設け、これらの面ファスナーを互いに接着させてカフを固定する構成では、カフの長手方向の一端に本体部を取り付けることができず、そのため、血圧計を腕や手首に所望の向きで装着することが可能なように本体部をカフに取り付けることができない場合があり、この点で改善の余地があった。
【０００７】
本発明は、上記課題に鑑みて成されたものであり、その目的は、所望の向きで腕や手首に容易に装着することが可能な血圧計を提供することにある。
【課題を解決するための手段】
【０００８】
本発明の血圧計は、ベルト状のカフと、前記カフの長手方向の一端を含む部分に取り付けられた本体部と、前記カフの前記本体部よりも長手方向の他端側に設けられた第１の面ファスナーと、前記本体部に設けられ、前記第１の面ファスナーに着脱自在の第２の面ファスナーと、を有し、前記本体部の、前記カフが取り付けられる取付け面とは反対側を向き且つ前記取付け面と平行な受け面に、前記第２の面ファスナーが設けられている、ことを特徴とする。
【００１０】
本発明の血圧計は、上記構成において、前記本体部が、測定した血圧の値を表示する表示部を備えたメインケースと、前記メインケースの背面から突出する突出ケースとを備え、前記取付け面が前記突出ケースに設けられているのが好ましい。
【００１１】
本発明の血圧計は、上記構成において、前記カフは、長手方向の一端側に、前記メインケースとは反対側に向けて開口する断面Ｃ字状のコアを備えているのが好ましい。
【００１２】
本発明の血圧計は、上記構成において、前記第２の面ファスナーが、前記本体部に着脱可能に取り付けられているのが好ましい。
【発明の効果】
【００１３】
本発明によれば、所望の向きで腕や手首に容易に装着することが可能な血圧計を提供することができる。
【図面の簡単な説明】
【００１４】
【図１】本発明の一実施の形態である血圧計の斜視図である。
【図２】図１に示す血圧計のカフを開いた状態の斜視図である。
【図３】図１に示す血圧計の右側面図である。
【図４】図１に示す本体部の第２の面ファスナーを取り外した状態の斜視図である。
【発明を実施するための形態】
【００１５】
以下、図面を参照して、本発明をより具体的に例示説明する。
【００１６】
図１〜図３に示す本実施の形態の血圧計１は、被測定者の手首を被検出部位として血圧の測定を自動的に行う手首型の電子式血圧計である。血圧計１は、カフ１０と本体部２０とを備えている。
【００１７】
カフ１０は、布材により、被測定者の手首に巻き付け可能な長さのベルト状に形成されており、その内部に空気袋を有している。カフ１０は、血圧の測定に際し、被測定者の手首に巻き付けられ、その状態で空気袋に空気が注入されることで膨張して被測定者の手首を圧迫することができる。
【００１８】
本体部２０はケース体３０を備えている。ケース体３０は、薄い箱型に形成されたメインケース３１と、薄い箱型に形成されてメインケース３１の背面３１ａから突出する突出ケース３２とを備えている。メインケース３１と突出ケース３２は合成樹脂材料により一体的に形成されている。
【００１９】
メインケース３１の背面３１ａとは反対側を向く前面３１ｂには表示部２３が設けられている。表示部２３は、例えば液晶パネルとして構成される。表示部２３は、例えば、測定した血圧の測定値（最高値及び最低値）、脈拍の測定結果、日付、時刻、周囲の気温、過去の測定結果等の種々の情報を、数値や図形、グラフ等を用いて表示することができる。
【００２０】
表示部２３は、測定した血圧の値を表示可能なものであれば、液晶パネルに替えて他の形式の表示パネルを用いてもよい。
【００２１】
メインケース３１の前面３１ｂの、表示部２３よりも下方側の領域に、上述の操作スイッチ２１、２２が配置されている。被測定者ないし操作者は、これらの操作スイッチ２１、２２を操作することにより、例えば、電源のオン・オフ、測定の開始及び停止、過去の測定結果の呼び出し等の種々の指令を、血圧計１の本体部２０に対して入力することができる。
【００２２】
メインケース３１の内部には、カフ１０の空気袋に空気を供給するポンプ、カフ１０の空気袋の圧力を検出する圧力センサ、ポンプの作動を制御するとともに圧力センサの検出結果から血圧値を算出する制御部、制御部に接続されたメモリ等の記憶部などの、本体部２０を構成する各種の機器が収納されている。
【００２３】
また、突出ケース３２の部分の内部には乾電池等の電源が収納されている。電源は、制御部や表示部２３、ポンプ等に向けて、その作動に必要な電力を供給する。突出ケース３２に重量が重い電源が収納されることにより、本体部２０の重心は突出ケース３２の部分にある。
【００２４】
図２に示すように、本体部２０は、カフ１０の長手方向の一端１１含む部分に取り付けられている。より具体的には、本体部２０の突出ケース３２の図１〜図３において下側を向く面は取付け面３２ａとなっており、カフ１０の長手方向の一端１１から長手方向の所定範囲の部分が、その一端１１をメインケース３１とは反対側に向けて取付け面３２ａに固定されることで、カフ１０は本体部２０に取り付けられている。
【００２５】
カフ１０の長手方向の一端側にはコア１２が内装されている。例えば合成樹脂製とされるコア１２は断面Ｃ字状に湾曲する板状となっており、その開口はメインケース３１とは反対側に向けられている。これにより、カフ１０のコア１２が内装された部分は、長手方向の一端１１から突出ケース３２の取付け面３２ａに沿ってメインケース３１の側に向けて延びるとともに、メインケース３１の背面３１ａに対向する部分において下方に向かうとともにメインケース３１から離れる方向に向けて湾曲している。したがって、カフ１０を開いて被測定者の手首にカフ１０を巻き付ける際には、コア１２が開口するメインケース３１とは反対側から手首をカフ１０のコア１２が内装された部分の内側に挿通する。
【００２６】
カフ１０の本体部２０よりも長手方向の他端１３の側の所定範囲の部分には、第１の面ファスナー４０が設けられている。カフ１０の第１の面ファスナー４０が設けられる面は、カフ１０の取付け面３２ａに固定される面とは反対側の面である。本実施の形態では、第１の面ファスナー４０は、カフ１０のコア１２が内装された部分よりも他端１３の側に所定の長さで設けられている。第１の面ファスナー４０は、布材で形成されたカフ１０に縫製により固定されている。
【００２７】
突出ケース３２の取付け面３２ａとは反対側を向く面は、取付け面３２ａと平行な受け面３２ｂとなっている。また、取付け面３２ａと受け面３２ｂとの間は、これらを連ねる後端面３２ｃとなっている。後端面３２ｃは、取付け面３２ａの側から受け面３２ｂの側に向けて徐々にメインケース３１に近づく方向に傾斜している。
【００２８】
突出ケース３２の受け面３２ｂには第２の面ファスナー５０が設けられている。本実施の形態では、第２の面ファスナー５０は、受け面３２ｂだけでなく受け面３２ｂから後端面３２ｃに達する範囲に設けられている。
【００２９】
第２の面ファスナー５０は、受け面３２ｂ及び後端面３２ｃの表面に対応するように曲がった合成樹脂製の基板５１の上面に接着等の手段により固定され、基板５１が突出ケース３２の受け面３２ｂ及び後端面３２ｃに固定されることで、突出ケース３２の受け面３２ｂ及び後端面３２ｃに固定されている。
【００３０】
第２の面ファスナー５０は第１の面ファスナー４０と対を成す面ファスナーとして構成されており、第１の面ファスナー４０に着脱自在となっている。すなわち、第２の面ファスナー５０は第１の面ファスナー４０に接着することができるとともに第１の面ファスナー４０から取り外すことができる。第１の面ファスナー４０及び第２の面ファスナー５０としては、例えば、何れか一方の表面には多数のパイルが設けられ、何れか他方の表面には多数のフックが設けられた構成のものを採用することができるが、互いに着脱自在なものであれば、種々のタイプの面ファスナーを採用することもできる。
【００３１】
カフ１０は、コア１２の開口の側からカフ１０のコア１２が内装された部分の内側に被測定者の手首を挿通させた後、カフ１０の他端１３の側の部分を手首に巻き付けて第１の面ファスナー４０を第２の面ファスナー５０に接着させることで、被測定部位である被測定者の手首に巻き付けた状態に保持される。このように、カフ１０は、手首に巻き付けた状態で第１の面ファスナー４０を第２の面ファスナー５０に接着させることで、手首に巻き付けられた状態に固定される。カフ１０の、第１の面ファスナー４０と第２の面ファスナー５０との接着部分よりも他端１３の側の部分は、メインケース３１の背面３１ａの部分で折り返される。
【００３２】
なお、当該折り返した部分の先端（他端１３）にさらに面ファスナーを設け、この面ファスナーをカフ１０の第１の面ファスナー４０が設けられる部分とは反対側の面に設けた面ファスナーに接着することで、上記折り返し部分をカフ１０の手首に巻き付けられた部分に固定する構成とすることもできる。
【００３３】
第１の面ファスナー４０は第２の面ファスナー５０よりも長さが長くなっており、カフ１０が巻き付けられる手首の太さに応じて、第１の第１の面ファスナー４０の第２の面ファスナー５０に接着される部分を調整可能である。
【００３４】
カフ１０の他端１３から長手方向の所定範囲の部分には第１の面ファスナー４０が設けられておらず、カフ１０を被測定者の手首に巻き付ける際には、この部分を把持することができる。
【００３５】
上記の通り、カフ１０は本体部２０の突出ケース３２に取り付けられているので、カフ１０を被測定者の手首に巻き付けて固定すると、本体部２０もカフ１０とともに被測定者の手首に固定される。このように、本実施の形態の血圧計１は、カフ１０と本体部２０とが一体化された一体型となっている。一体型の血圧計１は、容易に持ち運びが可能であるとともに、被測定者が手首に血圧計１を測定したまま移動することも可能である。
【００３６】
上記構成を有する本実施の形態の血圧計１は、カフ１０を被測定者の手首に巻き付けて固定し、本体部２０に設けられた操作スイッチ２１、２２を操作することで、被測定者の血圧を自動的に測定することができる。
【００３７】
図１に示すように、表示部２３は、突出ケース３２の取付け面３２ａの側を下方、受け面３２ｂの側を上方とした姿勢で、測定後の血圧の値などの上方を表示する。
【００３８】
ここで、本実施の形態の血圧計１では、カフ１０に第１の面ファスナー４０を設けるとともに、第１の面ファスナー４０に着脱自在の第２の面ファスナー５０を本体部２０に設ける構成としたので、本体部２０をカフ１０の長手方向の一端１１を含む部分に取り付けた構成として、本体部２０を所望の向きで被測定者の手首に容易に装着可能な構成とすることができる。
【００３９】
特に、本実施の形態の血圧計１は、肘を曲げて下腕を胸の前で水平とした姿勢で手首に装着される構成となっており、突出ケース３２の取付け面３２ａの側を下方、受け面３２ｂの側を上方とした姿勢で情報を表示する表示部２３を被測定者が視認し易い向きとなるように、本体部２０を手首に容易に装着することができる。
【００４０】
すなわち、本実施の形態の血圧計１では、コア１２の開口を下方に向けて当該開口の側からカフ１０のコア１２が内装された部分の内側に手首を挿入し、この状態でカフ１０の他端１３の側を手首に巻き付けて第１の面ファスナー４０を第２の面ファスナー５０に接着させることができるので、本体部２０を手首に容易に装着することができる。
【００４１】
また、本実施の形態の血圧計１では、本体部２０の重心を突出ケース３２に位置するようにしたので、重心を有する突出ケース３２がメインケース３１に対して下方側に位置する姿勢で装着作業を行うことができるようにして、当該装着作業はさらに容易に行い得るようにすることができる。
【００４２】
このように、本実施の形態の血圧計１は、本体部２０を所望の向きで被測定者の手首に容易に装着することができる構成となっている。
【００４３】
第２の面ファスナー５０は、本体部２０に着脱可能に、すなわち交換可能に取り付けられた構成とすることもできる。本実施の形態では、図４に示すように、基板５１は、突出ケース３２に設けられた４つの取付け孔３２ｄに突起部分が係止されることで突出ケース３２に対して着脱可能に取り付けられた構成となっており、第２の面ファスナー５０は、基板５１とともに本体部２０に対して着脱可能となっている。
【００４４】
この構成によれば、第２の面ファスナー５０は、カフ１０及び第１の面ファスナー４０とは別体の構成となっているので、第２の面ファスナー５０の第１の面ファスナー４０に対する接着性が低下したときに、カフ１０及び第１の面ファスナー４０を交換することなく、第２の面ファスナー５０のみを交換することができる。これにより、第２の面ファスナー５０を交換する際に係るコストを低減することができる。
【００４５】
第２の面ファスナー５０は、基板５１とともに本体部２０に対して着脱可能な構成に限らず、基板５１を用いることなく、本体部２０に対して着脱可能な構成とすることもできる。この場合、第２の面ファスナー５０を本体部２０に両面テープ、接着剤等を用いて固定する構成とすることができる。
【００４６】
本発明は前記実施の形態に限定されるものではなく、その要旨を逸脱しない範囲で種々変更可能であることはいうまでもない。
【００４７】
例えば、前記実施の形態においては、血圧計１は被測定者の手首に装着されるものとされているが、これに限らず、被測定者の腕に装着されるものとしてもよい。
【００４８】
また、前記実施の形態においては、第２の面ファスナー５０を突出ケース３２の受け面３２ｂに加えて後端面３２ｃにも設けるようにしているが、第２の面ファスナー５０を後端面３２ｃに設けない構成とすることもできる。
【００４９】
さらに、前記実施の形態においては、第２の面ファスナー５０を突出ケース３２の受け面３２ｂと後端面３２ｃとに設けるようにしているが、第２の面ファスナー５０は本体部２０に設けられていれば、その設ける位置は種々変更可能である。
【００５０】
さらに、ケース体３０は、第２の面ファスナー５０を取り付けることができる形状であれば、その形状は種々変更可能である、
【符号の説明】
【００５１】
１    血圧計
１０    カフ
１１    長手方向の一端
１２    コア
１３    長手方向の他端
２０    本体部
２１    操作スイッチ
２２    操作スイッチ
３０    ケース体
３１    メインケース
３１ａ  背面
３１ｂ  前面
３２    突出ケース
３２ａ  取付け面
３２ｂ  受け面
３２ｃ  後端面
３２ｄ  取付け孔
４０    第１の面ファスナー
５０    第２の面ファスナー
５１    基板
【要約】
【課題】所望の向きで腕や手首に容易に装着することが可能な血圧計を提供する。
【解決手段】ベルト状のカフ１０と、カフ１０の長手方向の一端１１を含む部分に取り付けられた本体部２０と、カフ１０の本体部２０よりも長手方向の他端１３の側に設けられた第１の面ファスナー４０と、本体部２０に設けられ、第１の面ファスナー４０に着脱自在の第２の面ファスナー５０と、を有することを特徴とする血圧計１。
【選択図】図２【図１】
0006718000.tif 000002
【図２】
0006718000.tif 000003
【図３】
0006718000.tif 000004
【図４】
0006718000.tif 000005